(57)【要約】【課題】  他の熱源に比較して極度に高温且つ高発熱熱量の光源装置81を他の熱源と共に冷却するため、冷却ファンの回転による騒音が大きくなると共に電力消費も増大する問題点があった。【解決手段】  光源装置81、表示素子放熱板115、及び、カラーホイール91の各近傍に各々温度センサーを設け、本体ケースの外部に開口する吸気口から光源装置81の周囲に外気を導く第１流路121及び光源装置周辺の空気を外部に排出する送風ファンを備えた第２流路122と、表示素子放熱板115の近辺に外気を導いて本体ケースの外部に排出する送風ファンを備えた第３流路123と、光源側光学系の近辺に外気を導いて本体ケースの外部に排出する送風ファンを備えた第４流路124を形成したデータプロジェクタ10とする。【選択図】    図４
2006301368.tif 000002
【特許請求の範囲】
【請求項１】
光源装置、表示素子放熱板、及び、光源側光学系のカラーホイールの各近傍に各々温度センサーを有し、本体ケースの外部に開口する吸気口から前記光源装置の周囲に外気を導く第１流路及び前記光源装置周辺の空気を前記本体ケースの外部に排気口から排出する送風ファンを備えた第２流路と、前記表示素子放熱板の近辺に吸気口から外気を導いて排気口から前記本体ケースの外部に排出する送風ファンを備えた第３流路と、前記光源側光学系の近辺に吸気口から外気を導いて排気口から前記本体ケースの外部に排出する送風ファンを備えた第４流路と、を有することを特徴とするデータプロジェクタ。
【請求項２】
前記第１流路の吸気口近傍と前記第２流路の排気口近傍との少なくとも１方と、前記第３流路の吸気口近傍と排気口近傍との少なくとも１方と、前記第４流路の吸気口近傍と排気口近傍との少なくとも１方と、に各々温度センサーを有し、前記各温度センサーの検出温度に応じて前記第２流路、前記第３流路、前記第４流路に設けた前記各送風ファンの回転速度を個別に制御する温度制御回路を備えることを特徴とする請求項１に記載したデータプロジェクタ。
【請求項３】
前記第２流路、第３流路、第４流路の排気口近傍に各々温度センサーを有し、前記温度制御回路は、各流路に設けた前記温度センサーの検出温度が高い場合に温度センサーを設けた流路に設置した送風ファンの回転速度を検出温度に対応させて早くする制御を行うことを特徴とする請求項２に記載したデータプロジェクタ。
【請求項４】
前記第１流路、第３流路、第４流路の吸気口近傍に各々温度センサーを有し、前記温度制御回路は、各流路に設けた前記温度センサーの検出温度が低い場合に温度センサーを設けた流路の吸気を行う送風ファンの回転速度を検出温度に対応させて遅く修正する制御を行うことを特徴とする請求項２又は請求項３に記載したデータプロジェクタ。
【請求項５】
外気温度検出用の温度センサーを前記本体ケースに有し、前記温度制御回路は、前記各送風ファンの回転速度を前記温度センサーの検出温度に対応させて外気温度が低いときには遅く修正する制御を行うことを特徴とする請求項３に記載したデータプロジェクタ。
【請求項６】
前記温度制御回路は、前記光源装置近傍の温度センサーと前記表示素子放熱板近傍の温度センサーと前記カラーホイール近傍の温度センサーのうち、何れかの温度センサーの検出温度が緊急停止温度に達したことを検知したときは、直ちに主電源をオフとする信号を制御部に出力することを特徴とする請求項１乃至請求項５の何れかに記載したデータプロジェクタ。
【請求項７】
前記温度制御回路は、前記光源装置近傍の温度センサーと前記表示素子放熱板近傍の温度センサーと前記カラーホイール近傍の温度センサーのうち、何れかの温度センサーの検出温度が緊急停止温度に達したことを検知したときは、全ての送風ファンの回転を持続しつつ、前記光源装置を消灯させる信号を制御部に出力することを特徴とする請求項１乃至請求項５の何れかに記載したデータプロジェクタ。
【請求項８】
前記第１流路に送風ファンと温度センサーを有すると共に、前記光源装置の直近にも前記本体ケースの外部に開口する補助吸気口を有することを特徴とする請求項１乃至請求項７の何れかに記載したデータプロジェクタ。
【請求項９】
前記光源側光学系のカラーホイールを、前記第２流路に配置していることを特徴とする請求項１乃至請求項８の何れかに記載したデータプロジェクタ。
【発明の詳細な説明】
【技術分野】
【０００１】
本発明は、ビデオ信号などに基づいて画像を投影するデータプロジェクタに関するものである。
【背景技術】
【０００２】
今日、パーソナルコンピュータの画面に表示される画像やビデオ信号の画像、更にはメモリカードなどに記憶されている画像データによる画像などをスクリーンに投影するデータプロジェクタが多用されている。
【０００３】
このデータプロジェクタは、多くの場合、メタルハイランドランプや超高圧水銀ランプなどの小型高輝度の光源を用い、光源から射出された光をカラーフィルタにより３原色の光として光源側光学系により液晶やＤＭＤ（デジタル・マイクロ・デバイス）と呼ばれる表示素子に照射し、表示素子の透過光又は反射光をズーム機能を備えた投影光学系とされるレンズ群を介してスクリーンに投影する構造とされている。
【０００４】
そして、このデータプロジェクタは、光源の発熱量が大きく、光源側光学系や電源回路、表示素子などの発熱源をも内蔵するため、空冷ファンを設けて熱源を冷却する機構が組み込まれている。
この冷却機構としては、特に高温となり且つ発熱量も多い光源を他の熱源と分離し、光源の冷却風を他の熱源の冷却風とは個別の冷却ファンにより分離して光源を冷却してプロジェクタから排出するようにし、更にこのプロジェクタから排出する熱風の方向を切り換えるようにするものも提案されている（例えば特許文献１）
【特許文献１】特開２００４−３６１６８６号公報
【発明の開示】
【発明が解決しようとする課題】
【０００５】
従来のプロジェクタは、光源装置を中心としてプロジェクタ全体の冷却を施しているため、他の熱源に比較して極度に高温且つ高発熱熱量の光源装置を他の熱源と共に冷却して光源装置を充分に冷却するファンの送風容量を持たせていた。
このため、冷却ファンの回転による騒音が大きくなると共に電力消費も増大する問題点があった。
【０００６】
本発明は、このような問題点を解決し、熱源に応じた冷却を行って効率よくプロジェクタを冷却すると共に、低騒音のプロジェクタを提供するものである。
【課題を解決するための手段】
【０００７】
本発明は、光源装置（81）、表示素子放熱板（115）、及び、カラーホイール（91）の各近傍に各々温度センサーを設け、本体ケースの外部に開口する吸気口（131）から光源装置（81）の周囲に外気を導く第１流路（121）及び光源装置（81）周辺の空気を本体ケースの外部に排気口（137）から排出する送風ファン（151）を備えた第２流路（122）と、表示素子放熱板（115）の近辺に吸気口（142）から外気を導いて排気口（138）から本体ケースの外部に排出する送風ファン（152）を備えた第３流路（123）と、光源側光学系の近辺に吸気口（133）から外気を導いて排気口（137）から本体ケースの外部に排出する送風ファン（153）を備えた第４流路（124）を形成したデータプロジェクタ（10）とするものである。
【０００８】
また、前記第１流路（121）の吸気口（131）近傍と第２流路（122）の排気口（137）近傍の少なくとも１方と、第３流路（123）の吸気口（132）近傍と排気口（138）近傍の少なくとも１方と、第４流路（124）の吸気口（133）近傍と排気口（137）近傍の少なくとも１方と、に各々温度センサーを設けることが好ましく、この各温度センサーの検出温度に応じて第２流路（122）、第３流路（123）、第４流路（124）に設けた各送風ファン（151,152,153）の回転速度を個別に制御する温度制御回路を設けるものである。
【０００９】
そして、第２流路（122）の排気口（137）近傍や第３流路（123）の排気口（138）近傍、及び、第４流路（124）の排気口（137）近傍に各々温度センサーを設けた場合は、温度制御回路により各流路（122,123,124）に設けた温度センサーの検出温度が高い場合に温度センサーを設けた流路に設置した送風ファンの回転速度を検出温度に対応させて早くする制御を行うことが好ましく、前記第１流路（121）の吸気口（131）近傍と第３流路（123）の吸気口（132）近傍と第４流路（124）の吸気口（133）近傍に各々温度センサーを設けた場合は、温度制御回路により各流路（121,123,124）に設けた温度センサーの検出温度が低い場合に温度センサーを設けた流路に設置した送風ファンの回転速度を検出温度に対応させて遅く修正する制御を行うようにすることが好ましい。
【００１０】
なお、外気温度検出用の温度センサー（167）を本体ケースに設け、前記温度制御回路は外気温度が低いときは各送風ファン（151,152,153）の回転速度を遅くする修正を行うこともある。
また、温度制御回路は、光源装置（81）近傍の温度センサー、表示素子放熱板（115）近傍の温度センサー、カラーホイール（91）近傍の温度センサーのうちの何れかの温度センサーの検出温度が緊急停止温度に達したことを検知したときは、主電源をオフとする信号を制御部（69）に出力するようにすることが好ましく、光源装置（81）を消灯させる信号を制御部（69）に出力するようにすることもある。
【００１１】
そして、第１流路（121）に送風ファン（154）と温度センサー（168）を設けると共に、光源装置（81）の直近に本体ケースの外部に開口する補助吸気口（135）を設けることや、光源側光学系のカラーホイール（91）を第２流路（122）に配置することもある。
【発明の効果】
【００１２】
本発明は、光源装置と光源側光学系や表示素子放熱板を冷却する空気の流路を独立させ、各流路に送風ファンを設けているため、主要な熱源である光源装置と光源側光学系や表示素子放熱板の各熱源の状態に応じた冷却を行うことができる。
【発明を実施するための最良の形態】
【００１３】
本発明の実施の形態は、光源装置81、表示素子放熱板115、及び、カラーホイール91の各近傍に各々温度センサーを設け、本体ケースの外部に開口する第１の吸気口131から光源装置81の周囲に外気を導く第１流路121及び光源装置81周辺の空気を本体ケースの外部に主排気口137から排出する送風ファン151を備えた第２流路122と、表示素子放熱板115の近辺に第２の吸気口132から外気を導いて第２排気口138から本体ケースの外部に排出する送風ファン152を備えた第３流路123と、光源側光学系の近辺に第３の吸気口133から外気を導いて主排気口137から本体ケースの外部に排出する送風ファン153を備えた第４流路124を形成したデータプロジェクタ10とするものである。
【００１４】
更に、このデータプロジェクタ10は、前記第１流路121における吸気口131の近傍と第２流路122における排気口137の近傍との少なくとも１方と、前記第３流路123における吸気口132の近傍と排気口138の近傍との少なくとも１方と、前記第４流路124における吸気口133の近傍と排気口137の近傍との少なくとも１方と、に各々温度センサーを設け、この各温度センサーの検出温度に応じて第２流路122、第３流路123、第４流路124に設けた各送風ファン151,152,153の回転速度を個別に制御する温度制御回路を設けるものである。
【実施例】
【００１５】
本発明にかかるデータプロジェクタは、図１に示すように、略直方体形状であって、正面板11、上面板12、背面板13、右側壁14、左側壁15、及び、底面板16による本体ケースを有し、正面板11の側方には投影口を覆うレンズカバー21と、主排気口137を有すると共に、底面板16に取付けられた調整脚部27を係止するロックつまみ28を設けたものである。
【００１６】
又、上面板12には、電源のオン又はオフを操作する電源キー41、電源のオン又はオフを報知するパワーインジケータ42、自動画質調整キー45や手動画質調整キー46、更に、光源装置が点灯していることを表示するランプインジケータ43や光源装置などが過熱したときに報知する過熱インジケータ44などのキー及びインジケータを設け、又、開閉蓋23を設けてこの内部には当該プロジェクタ10の詳細な調整設定を行うための各種調整キーやメモリカード63を着脱可能とするカードスロットなどを設けており、内部にスピーカ72を配置して音声を拡声させるスピーカ穴29も設けている。
【００１７】
尚、右側壁14には第１の吸気口131を設け、底面板16の後方左右に固定脚部25を設けている。
そして、背面板13には、図２に示すように、ＵＳＢ端子や画像信号入力用のＤ−ＳＵＢ端子、Ｓ端子、ＲＣＡ端子などを設ける入出力コネクタ部31、電源コンセント35やリモートコントローラからの制御信号を受信するＩｒ受信部33、及び、第２の吸気口132を設け、左側壁15には第２排気口138や第３の吸気口133を設けると共に、ズームリング47やフォーカスリング48の一部を露出させている。
【００１８】
また、このプロジェクタ10の制御機構は、図３に示すように、制御部69、入出力インターフェース51、画像変換部53、表示エンコーダ55、表示駆動部58等を有するものであって、入出力コネクタ部31から入力された各種規格の画像信号は、入出力インターフェース51、システムバス（ＳＢ）を介して画像変換部53で表示に適した所定のフォーマットの画像信号に統一するように変換された後、表示エンコーダ55に送られるものである。
【００１９】
また、表示エンコーダ55は、送られてきた画像信号をビデオＲＡＭ56に展開記憶させた上でこのビデオＲＡＭ56の記憶内容からビデオ信号を生成して表示駆動部58に出力するものである。
【００２０】
そして、表示エンコーダ55からビデオ信号が入力される表示駆動部58は、送られてくる画像信号に対応して適宜フレームレートで空間的光変調素子（ＳＯＭ）である表示素子75を駆動するものであり、光源装置81からの光を光源側光学系を介して表示素子75に入射することにより、表示素子75の反射光で光像を形成し、投影側光学系とする投影系レンズ群100を介して図示しないスクリーンに画像を投影表示するものであり、この投影系レンズ群100は、レンズモータ73によりズーム調整やフォーカス調整をされるものである。
【００２１】
また、画像圧縮伸長部61は、画像信号の輝度信号及び色差信号をＡＤＴＣ及びハフマン符号化等の処理によりデータ圧縮して着脱自在な記録媒体とされるメモリカード63に順次書き込む記録処理や、再生モード時はメモリカード63に記録された画像データを読み出し、一連の動画を構成する個々の画像データを１フレーム単位で伸長して画像変換部53を介して表示エンコーダ55に送り、メモリカード63に記憶された画像データに基づいて動画などの表示を可能とするものである。
【００２２】
そして、制御部69は、プロジェクタ10内の各回路の動作制御を司るものであって、ＣＰＵや各種セッティング等の動作プログラムを固定的に記憶したＲＯＭ及びワークメモリとして使用されるＲＡＭなどにより構成されている。
また、本体ケースの上面板12に設けられたメインキー及びインジケータ、更に開閉蓋23の内部に設けられた各種調整用の本体サブキーにより構成されるキー・インジケータ部67の操作信号は、直接に制御部69に送出され、リモートコントローラからのキー操作信号は、Ｉｒ受信部33で受信され、Ｉｒ処理部65で復調されたコード信号が制御部69に送られるものである。
【００２３】
尚、制御部69にはシステムバス（ＳＢ）を介して音声処理部71が接続されており、音声処理部71はＰＣＭ音源等の音源回路を備え、投影モード及び再生モード時には音声データをアナログ化し、スピーカ72を駆動して拡声放音させることができるものである。
また、これらのＲＯＭ、ＲＡＭ、ＩＣや回路素子は、制御回路基板113に取付けるものであり、電力系のランプ電源回路基板111と分けて形成している。
【００２４】
そして、このプロジェクタ10の光学系は、図４に示すように、防爆ガラス87で前面を覆ったリフレクタ85の内部に超高圧水銀ランプ83を設けた光源装置81と、光源装置81から射出された光を表示素子75とするＤＭＤ（デジタル・マイクロミラー・デバイス）に照射する光源側光学系と、表示素子75と、表示素子75で反射されて画像を形成する光をスクリーンに放出する投影系レンズ群100で構成するものである。
【００２５】
また、光源側光学系は、光源装置81から射出された光を赤色光、緑色光、青色光とするカラーフィルタを周囲に設けてホイールモータ92により回転されるカラーホイール91と、カラーホイール91のフィルタを透過した光を均一な強度分布の光束とする導光ロッド93と、導光ロッド93から射出された光を表示素子75に集光させる複数枚のレンズで形成した光源側レンズ群95及び光源側レンズ群95を透過した光を表示素子75に所定の角度で照射するミラー97と、表示素子75の前面に配置する中継レンズ99などで形成している。
【００２６】
さらに、投影系レンズ群100としては、固定鏡筒101に内蔵する固定レンズ群103と可動鏡筒105に内蔵する可動レンズ群107として、ズーム機能を備えた可変焦点型レンズとしているものであり、レンズモータ73によりズームやフォーカスが調整される他、ズームリング47やフォーカスリング48によっても調整可能としているものである。
【００２７】
そして、このプロジェクタ10は、隔壁により複数の空気流通流路を形成するものであり、第１の吸気口131から光源装置81に外気を導く第１流路121、光源装置81の周囲の空気を主排気口137に導く第２流路122、表示素子75としたＤＭＤの背面に設けられた放熱板115に第２の吸気口132から外気を導いて放熱板115の周囲を通過させた後、プロジェクタ10の外部に第２の排出口138から排出する第３流路123、外気を第３の吸気口133から光源側光学系に導き、光源側光学系の周囲を通過させた後、プロジェクタ10の外部に主排気口137から排出する第４流路124を形成するものである。
【００２８】
この第１流路121は、底面板16から上面板12に至る高さの第１隔壁141と右側壁14とで形成し、第１流路121にランプ電源回路基板111や制御回路基板113を配置するものであり、第１の吸気口131から取り込まれた外気は、ランプ電源回路基板111や制御回路基板113の周囲を通ってランプ冷却風として光源装置81に導かれるものである。
【００２９】
また、第１流路121から光源装置81に導かれ、光源装置81の周囲を通った空気は、底面板16から上面板12に至る高さの第１隔壁141及び第２隔壁142により主排気口137に導くものとし、この第１隔壁141と第２隔壁142とにより他の空間と区切った第２流路122に第１送風ファン151を設けてランプ排熱風を主排気口137からプロジェクタ10の外部に排出するものとしている。
【００３０】
そして、第３流路123は、表示素子75の背面に設けた放熱板115に第２の吸気口132から取り入れた外気を放熱板冷却風として導き、放熱板115の周囲を通過した空気を放熱板排熱風としてプロジェクタ10の外部に第２排気口138から排出するものであって、底面板16から上面板12に至る高さの第３隔壁143により他のプロジェクタ10内部の空間と隔離され、第３隔壁143と背面板13とにより形成した流路としてこの空気流通流路にも第２送風ファン152を設けておくものである。
【００３１】
更に、第４流路124は、光源側光学系の周囲の空気をプロジェクタ10の外部に排出するものとし、第３の吸気口133から取り入れた外気を光学系冷却風として光源側光学系の近傍周囲に導き、ミラー97や表示素子75、カラーホイール91の周囲を通過した空気を隔壁により主排気口137に導くものであり、光源側光学系の周囲を通過した光学系排熱風がプロジェクタ10内部の他の空間に流れないように第２隔壁142と第４隔壁144により空気流通流路を形成し、この流路に第３送風ファン153を設けるものである。
【００３２】
なお、ランプ排熱風を流す第２流路122と光学系排熱風を流す第４流路124とを区切る第２隔壁142には、透明な窓部147を設けて空気の相互流通を遮断しつつ光源装置81から射出された光を光源側光学系に入射するようにしている。
【００３３】
この実施例では、上述のように第１の吸気口131から第１流路121を介して外気をランプ冷却風として光源装置81に導き、光源装置81の周囲で吸熱した空気であるランプ排熱風を第２流路122でプロジェクタ10の外部に排出するように第１隔壁141及び第２隔壁142や右側壁14で空気流通流路を形成して第１送風ファン151を設けているため、光源装置81により高熱とされたランプ排熱風を直接プロジェクタ10の外部に排出することができる。
【００３４】
また、第１流路121にランプ電源回路基板111や制御回路基板113の回路基板を設け、微量の発熱ではあっても発熱源となる電気回路及び回路基板を外気で冷却し、続いて高熱の発熱源である光源装置81を冷却するため、効率的にプロジェクタ10の内部を外気により冷却することができる。
【００３５】
そして、温度により投影する画像の画質に影響する表示素子75の温度管理として、表示素子75の背面に設けられた放熱板115を外気により冷却し、放熱板115を冷却した放熱板排熱風をプロジェクタ10の外部に排出する第２送風ファン152を備えた第３流路123を形成しているため、第２送風ファン152の回転速度を制御することにより、表示素子75の温度を適正温度範囲に保つことができる。
【００３６】
このように、極めて緻密な集積回路であって、温度上昇により動作機能が低下するのみでなく、熱により破損し易く、且つ、画像形成に極めて重要なＤＭＤなどの表示素子75の温度管理を、第２送風ファン152の制御によって専用の冷却として行うことができ、美麗な投影を持続させることができるものである。
【００３７】
また、光源装置81からの光を微小面積で受光して赤色、緑色、青色に着色して透過させるカラーホイール91や、光源からの光を反射するミラー97及び表示素子75にも独立した送風ファンである第３送風ファン153を設けた第４流路124の空気流量によって冷却風の風量を調整可能としているため、光源装置81の冷却とは独立して光源側光学系の温度管理を行って異常高温にならないように冷却制御を効果的に行うことができる。
【００３８】
従って、光源装置81の直近に配置され、リフレクタ85などにより微小範囲に集光された光の特定波長のみを透過させるため、過熱され易く、熱破損を生じやすいカラーホイール91を充分に冷却することが可能となる。
【００３９】
さらに、この実施例では、従来と同様に、光源装置81や放熱板115及びカラーホイール91の近傍に図示しない温度センサーを設けており、従来のように異常温度を検出するために利用するのみでなく、光源装置温度センサーや放熱板温度センサー及びカラーホイール温度センサーの検出温度により、光源装置81や放熱板115又はカラーホイール91が緊急停止温度などの異常高温となったときに異常報知を行う他、各熱源の冷却制御による温度管理を行うものである。
【００４０】
即ち、光源装置温度センサーの検出温度が高くなると第１送風ファン151の回転速度を早くし、放熱板温度センサーの検出温度が高くなると第２送風ファン152の回転速度を早くし、カラーホイール温度センサーの検出温度が高くなると第３送風ファン153の回転速度を早くするように、各検出温度に合わせて対応する送風ファンの回転速度を個別に変化させる制御を行う温度制御回路を制御回路基板113に設けるものである。
【００４１】
従って、光源装置81や光源側光学系、表示素子放熱板115などの各熱源毎の熱源温度に合わせた温度管理による冷却制御を個別に行い、効果的に光源装置81や表示素子75及びカラーホイール91を適正温度範囲に保ち、一部の熱源が加熱状態に近くなっても他の熱源は通常の冷却状態を保ち、無駄な送風ファンの高速回転による電力消費や騒音の増大をなくすことができる。
【００４２】
なお、光源装置温度センサー、放熱板温度センサー、カラーホイール温度センサーの何れかが緊急停止温度に達したときは、主電源をオフとする信号を直ちに制御部69に入力するようにしている。
このように、主電源をオフとする信号を制御部69に入力すれば、制御部69は、光源装置81における放電ランプを消灯させると共に、画像信号などに基づく表示素子75の駆動制御も停止し、タイマーにより定められた一定時間の各送風ファンの駆動を継続する電源オフ処理を行ってプロジェクタ10内の余熱を放出して各部の冷却を行うものである。
【００４３】
また、主電源をオフとする信号でなく、光源装置81を消灯させる信号を温度制御回路から出力して制御部69に入力することにより、光源装置81の放電ランプを消灯させ、且つ、各送風ファンの駆動は継続させるようにすることもある。
【００４４】
そして、光源装置81や表示素子放熱板115、更に光源側光学系を独立した送風ファンを有する独立した空気流通流路として各熱源の温度管理をより効果的に行うために、図５に示すように、第２流路122における主排気口137の近傍に第１温度センサー161を、第３流路123における第２排気口138の近傍に第２温度センサー162を、第４流路124における主排気口137の近傍に第３温度センサー163をもうけることがある。
【００４５】
このように、第２流路122に第１温度センサー161を設けて光源装置81を冷却したランプ排熱風の温度を測定すれば、ランプ排熱風の温度に合わせ、温度が高ければ第１送風ファン151の回転速度を早くするように温度制御回路で制御することにより、表示素子放熱板115や光源側光学系の冷却と独立させて光源装置81のみの温度を制御して光源装置81を適正温度範囲に保つことが容易に可能となる。
【００４６】
そして、第２温度センサー162により表示素子放熱板115を冷却した放熱板排熱風の温度を検出して検出温度が高ければ第２送風ファン152の回転速度を早くするように制御し、光源装置81や光源側光学系の冷却と独立させて放熱板115のみの温度を適正温度範囲に制御することができ、第３温度センサー163により光源側光学系を冷却した光学系排熱風の温度を検出して検出温度が高ければ第３送風ファン153の回転速度を早くするように制御して光源装置81や表示素子75の冷却と独立させて光源側光学系のみの温度を適正温度範囲に制御することができる。
【００４７】
さらに、図６に示すように、第１流路121の外気取り入れ口である第１の吸気口131の近傍に第４温度センサー164を、第３流路123の外気取り入れ口である第２の吸気口132の近傍に第５温度センサー165を、第４流路124の外気取り入れ口である第３吸気口の近傍に第６温度センサー166を設けることもある。
【００４８】
このように、各空気流通流路の空気取り入れ口に温度センサーを設け、第４温度センサー164により光源装置81を冷却するランプ冷却風の温度を検出し、ランプ冷却風の温度が低い場合は第１送風ファン151の回転速度を遅く修正して光源装置81の温度を適正温度範囲に制御し、点灯中は適正温度範囲とすることは勿論、点灯時は素早く適正温度に達するように制御し、また、消灯時の急激な冷却を防止するように制御することもできる。
【００４９】
そして、第５温度センサー165は、放熱板冷却風として放熱板115を冷却する外気の取り入れ温度を検出するものであり、温度が低いときは第２送風ファン152の回転速度を遅く修正し、第６温度センサー166により光学系冷却風として光源側光学系を冷却する外気の取り入れ温度を検出し、温度が低いときは第３送風ファン153の回転速度を遅く修正するものである。
【００５０】
従って、プロジェクタ10の設置場所により、窓際や壁際、その他プロジェクタ10の近くに他の機器が設置される場合など、吸気口の向きや配置によってランプ冷却風や放熱板冷却風、光学系冷却風の温度に差が生じる場合でも、各熱源に適正な風量の冷却風を供給するように風量制御して無駄の無い熱管理を行い、低騒音で消費電力を少なくして各熱源を適正温度範囲に制御することができる。
【００５１】
さらに、図７に示すように、第１流路121の空気取り入れ口である第１の吸気口131の近傍に第４温度センサー164を設けると共に第２流路122の主排気口137の近傍に第１温度センサー161を設け、第３流路123の空気取り入れ口である第２の吸気口132の近傍に第５温度センサー165を、第３流路123の第２排気口122の近傍に第２温度センサー162を、第４流路124の空気取り入れ口である第３の吸気口133の近傍に第６温度センサー166を設けると共に第４流路124の排気口である主排気口137の近傍に第３温度センサー163を設けることもある。
【００５２】
この実施例では、ランプ冷却風の温度を第４温度センサー164で検出すると共にランプ排熱風の温度を第１温度センサー161で検出することができるため、ランプ排熱風の温度が上昇すると第１送風ファン151の回転速度を早くするように増加させる制御を行うと共に、この制御において第４温度センサー164により検出したランプ冷却風の温度により冷却風の温度が低いときは送風ファンの回転速度を僅かに遅くするように回転数制御に修正を加え、より無駄の少ない冷却制御を行うことができ、また、冷却風と排熱風との温度差が大きい場合に送風ファンの回転数を増加させるようにして、より緻密な光源装置81の温度管理を行い、光源装置81を適正温度範囲に管理制御することができる。
【００５３】
また、第５温度センサー165により放熱板冷却風の温度を検出し、第２温度センサー162により放熱板排熱風の温度を検出することにより、排熱風の温度が高いときは第２送風ファン152の回転数を早くしつつ冷却風の温度が低いときは回転速度を僅かに遅くする修正の制御を行い、また、冷却風と排熱風との温度差が大きいときは回転数を増加させるように制御して表示素子放熱板115の温度を適正温度範囲とすることができ、同様に、第６温度センサー166により検出する光学系冷却風の温度と第３温度センサー163により検出する光学系排熱風の温度により、第３送風ファン153の回転速度を制御して光源側光学系の温度を適正温度範囲とするものである。
【００５４】
なお、図８に示すように、第２流路122に第１温度センサー161を、第３流路123に第２温度センサー162を、第４流路124に第３温度センサー163を設け、背面板13の外部など、プロジェクタ10の外部に第７温度センサー167を設け、ランプ冷却風や放熱板冷却風及び光学系冷却風の取り入れ温度に換えてプロジェクタ10の外部である外気温度を測定することもある。
【００５５】
この実施例では、第１温度センサー161によりランプ排熱風の温度を検出して第１送風ファン151の回転速度を制御する際、第７温度センサー167で検出する外気温が低いときは回転速度を僅かに遅くするように修正して無駄な冷却を行わないようにすると共に、第２温度センサー162による第２送風ファン152の制御や第３温度センサー163による第３送風ファン153の制御においても、同様に外気温度による修正を加えるものである。
【００５６】
さらに他の実施例としては、図９に示すように、第１流路121における光源装置81の直近に補助吸気口135を設けるものがある。
この実施例は、第１流路121の外気取り入れ口として第１の吸気口131を設けている他、第１流路121にも第４送風ファン154を設け、第４送風ファン154の近傍に第８温度センサー168を設けると共に、第４送風ファン154よりも光源装置81側に補助吸気口135を設けるものである。
【００５７】
従って、第１流路121を介してランプ冷却風を光源装置81の周囲に供給するのみでなく、プロジェクタ10の外部から新鮮な外気を追加したランプ冷却風を光源装置81に送ることができ、この新鮮な外気の吸い込み量は、第１送風ファン151の回転速度と第４送風ファン154の回転速度との差により制御するものである。
【００５８】
この実施例では、第８温度センサー168によりランプ電源回路を冷却して光源装置81を冷却するランプ冷却風の温度を加味しつつ第１温度センサー161によりランプ冷却風の温度を検出して光源装置81の冷却風量を制御することができ、この光源装置81を冷却するランプ冷却風は電源回路を冷却しない新鮮な外気を追加しているため、高温高発熱量の光源装置81をより効果的に冷却することができるものである。
【００５９】
そして、温度制御回路は、光源装置81の近傍に設けた光源装置温度センサー、表示素子放熱板115の近傍に設けた放熱板温度センサー、カラーホイール91の近傍に設けたカラーホイール温度センサーのうちの何れかの温度センサーの検出温度が緊急停止温度に達したことを検知したときは、光源装置81を消灯させる信号を制御部69に出力し、第１送風ファン151乃至第３送風ファン153の回転を継続させ、特に、緊急停止温度を検出した温度センサーに対応する送風ファンを最大速度で回転させることもある。
【００６０】
なお、温度制御回路は、制御回路基板113にマイクロプロセッサなどを取り付けて形成する場合や、プロジェクタ10の制御部69とするマイクロコンピュータに所定のプログラミングを行い、制御部69に温度制御回路の機能を持たせるようにして制御部69の内部に温度制御回路を組み込むこともある。
また、上記の図面に示した実施例は、第２隔壁142に窓部147を設けて光源装置81と光源側光学系とを分離しているも、第２隔壁142の全体と透明素材として第２流路122と第４流路124とを分離することもある。
【００６１】
さらに、第２隔壁142を貫通させるように導光ロッド93を配置し、第２隔壁142により分離する第２流路122にカラーホイール91を配置し、第４流路124には、光源側光学系のレンズ群95やミラー97及び中継レンズ99と合わせて表示素子75を配置するようにすることもある。
【００６２】
そして、第１の吸気口131や第２の吸気口132、第３の吸気口133は、図面に示すように右側壁14や背面板13、及び左側壁15に設ける場合に限るものでなく、適宜、底面板16に設ける場合や上面板12に設けることもあり、光源側光学系のミラー97や表示素子75などの熱源の配置によってもその近傍に配置するように位置を変更することがあり、また、第１や第２又は第３の吸気口を適宜共通とすることもある。
【００６３】
また、第１流路121や第２流路122、及び、第３流路123や第４流路124は、隔壁や側壁などで形成する場合のみでなく、適宜、ダクトやパイプにより形成することもある。
なお、本発明は、以上の実施例の形態に限定されるものでなく、発明の要旨を逸脱しない範囲で自由に変更、改良が可能である。
【００６４】
例えば、本実施例の形態では図のような構成としたが、できる限り熱源毎に独立に温度管理を行うことが本発明の目的であるので、究極的には、熱源毎に吸気口、排気口、ファン、熱源センサー、吸気温センサー、排気温センサーを持ち、全ての熱源を断熱材で仕切り、送風流路を設けるような構成であっても良い。
また、ファンの回転速度は、温度センサーが感知する温度により、段階的に変化させても良く、リニアに変化させても良い。
【図面の簡単な説明】
【００６５】
【図１】本発明にかかるデータプロジェクタの外観を示す正面斜視図。
【図２】本発明にかかるデータプロジェクタの外観を示す背面斜視図。
【図３】本発明にかかるデータプロジェクタの機能回路ブロックを模式的に示す図。
【図４】本発明にかかるデータプロジェクタの内部構造の１例を示す図。
【図５】本発明にかかるデータプロジェクタの内部構造の第２の例を示す図。
【図６】本発明にかかるデータプロジェクタの内部構造の第３の例を示す図。
【図７】本発明にかかるデータプロジェクタの内部構造の第４の例を示す図。
【図８】本発明にかかるデータプロジェクタの内部構造の第５の例を示す図。
【図９】本発明にかかるデータプロジェクタの内部構造の第６の例を示す図。
【符号の説明】
【００６６】
１０  プロジェクタ
１１  正面板                          １２  上面板
１３  背面板                          １４  右側壁
１５  左側壁                          １６  底面板
２１  レンズカバー                    ２３  開閉蓋
２５  固定脚部                        ２７  調整脚部
２８  ロックつまみ                    ２９  スピーカ穴
３１  入出力コネクタ部                ３３  Ｉｒ受信部
３５  電源コンセント                  ４１  電源キー
４２  パワーインジケータ              ４３  ランプインジケータ
４４  過熱インジケータ                ４５  自動画質調整キー
４６  手動画質調整キー                ４７  ズームリング
４８  フォーカスリング                ５１  入出力インターフェース
５３  画像変換部                      ５５  表示エンコーダ
５６  ビデオＲＡＭ                    ５８  表示駆動部
６１  画像圧縮伸長部                  ６３  メモリカード
６５  Ｉｒ処理部                      ６７  キー及びインジケータ部
６９  制御部                          ７１  音声処理部
７２  スピーカ                        ７３  レンズモータ
７５  表示素子                        ８１  光源装置
８３  超高圧水銀ランプ                ８５  リフレクタ
８７  防爆ガラス                      ９１  カラーホイール
９２  ホイールモータ                  ９３  導光ロッド
９５  光源側レンズ群                  ９７  ミラー
９９  中継レンズ                    １００  投影系レンズ群
１０１  固定鏡筒                      １０３  固定レンズ群
１０５  可動鏡筒                      １０７  可動レンズ群
１１１  ランプ電源回路基板            １１３  制御回路基板
１２１  第１流路                      １２２  第２流路
１２３  第３流路                      １２４  第４流路
１３１、１３２、１３３  吸気口        １３５  補助吸気口
１３７  主排気口                      １３８  第２排気口
１４１  第１隔壁                      １４２  第２隔壁
１４３  第３隔壁                      １４４  第４隔壁
１５１、１５２、１５３、１５４  （第１〜第４）送風ファン
１６１〜１６８  （第１〜第８）温度センサー
【図１】
2006301368.tif 000003
【図２】
2006301368.tif 000004
【図３】
2006301368.tif 000005
【図４】
2006301368.tif 000006
【図５】
2006301368.tif 000007
【図６】
2006301368.tif 000008
【図７】
2006301368.tif 000009
【図８】
2006301368.tif 000010
【図９】
2006301368.tif 000011